(57)【要約】【課題】新たな工程を追加することなく、また視野角依存性等の新たな課題を生じることなく、プラズマディスプレイパネルの外光反射を低減しコントラストを高める。【解決手段】走査バス電極２２ｂの幅Ｂ２、維持バス電極２３ｂの幅Ｂ３、およびブラックストライプ２５の幅Ｂ５の最大値をＢｍａｘとし、走査バス電極２２ｂと維持バス電極２３ｂとの隙間の間隔Ｗ２３、維持バス電極２３ｂとブラックストライプ２５との隙間の間隔Ｗ３５、およびブラックストライプ２５と走査バス電極２２ｂとの隙間の間隔Ｗ５２の最小値をＷｍｉｎとし、走査バス電極２２ｂおよび維持バス電極２３ｂと蛍光体層３５との光学的距離をＨとするとき、Ｂｍａｘ≦Ｈ≦Ｗｍｉｎを満たす。【選択図】図２
2010040411.tif 000002
【特許請求の範囲】
【請求項１】
走査バス電極を有する走査電極と維持バス電極を有する維持電極とブラックストライプとを備えた前面基板と、データ電極と蛍光体層とを備えた背面基板とを対向配置して構成したプラズマディスプレイパネルであって、
前記走査バス電極の幅、前記維持バス電極の幅、および前記ブラックストライプの幅の最大値をＢｍａｘとし、
前記走査バス電極と前記維持バス電極との隙間の間隔、前記維持バス電極と前記ブラックストライプとの隙間の間隔、および前記ブラックストライプと前記走査バス電極との隙間の間隔の最小値をＷｍｉｎとし、
前記走査バス電極および前記維持バス電極と前記蛍光体層との光学的距離をＨとするとき、
Ｂｍａｘ≦Ｈ≦Ｗｍｉｎ
を満たすことを特徴とするプラズマディスプレイパネル。
【請求項２】
前記走査バス電極の幅と前記維持バス電極の幅と前記ブラックストライプの幅とが互いに等しいことを特徴とする請求項１に記載のプラズマディスプレイパネル。
【請求項３】
前記走査バス電極と前記維持バス電極との隙間の間隔と、前記維持バス電極と前記ブラックストライプとの隙間の間隔と、前記ブラックストライプと前記走査バス電極との隙間の間隔とが互いに等しいことを特徴とする請求項１に記載のプラズマディスプレイパネル。
【発明の詳細な説明】
【技術分野】
【０００１】
本発明は、プラズマディスプレイ装置に用いる交流面放電型プラズマディスプレイパネルに関するものである。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、１対の走査電極と維持電極とからなる表示電極対が互いに平行に複数対形成されている。走査電極および維持電極のそれぞれは導電性を高めるための不透明なバス電極を有している。また隣接する表示電極対の間には、外光反射を抑えて表示画像のコントラストを高めるためのブラックストライプが形成されている。そしてそれら表示電極対およびブラックストライプを覆うように誘電体層および保護層が形成されている。背面基板上には、複数の平行なデータ電極と、それらを覆う誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面基板と背面基板とが対向配置されて密封され、内部の放電空間には放電ガスが封入されている。ここで表示電極対とデータ電極とが対向する部分に放電セルが形成される。このようなパネルの各放電セルの内部でガス放電により紫外線を発生させ、この紫外線で赤、緑、青各色の蛍光体を励起発光させて画像表示を行っている。
【０００３】
表示される画像の品質は、輝度、コントラスト、色再現性、解像度、階調表現能力等、さまざまな要因に左右される。これらの中でも特に、最大輝度と黒表示時の輝度との比、すなわちコントラストが表示画像のインパクトを左右する大きな要因となっている。
【０００４】
従来、コントラストを高めるためのさまざまな検討がなされている。例えばバス電極およびブラックストライプ部のそれぞれと重なるように、かつ小さな間隔を有して黒色部を形成することにより、パネルの発光輝度を低下させることなく、明るい場所での外光反射を抑えてコントラストを改善したパネルが特許文献１に開示されている。
【特許文献１】特開２００５−１９００８号公報
【発明の開示】
【発明が解決しようとする課題】
【０００５】
しかしながら、特許文献１に記載のパネルを用いて画像を表示すると、視野角によって輝度が変化するという課題があった。すなわちパネルの正面から見るとバス電極およびブラックストライプ部と黒色部とが完全に重なるので発光輝度は低下しないが、パネルの上方または下方から見るとバス電極およびブラックストライプ部と黒色部とがずれて見えるため発光輝度は低下することになる。
【０００６】
また、特許文献１に記載のパネルを製造するためには、黒色部を形成する工程を他の工程とは独立に新たに追加する必要があり、生産性が低下するという課題もあった。
【０００７】
本発明は上記課題に鑑みなされたもので、新たな工程を追加することなく、また視野角依存性等の新たな課題を生じることなく外光反射を低減しコントラストを高めたパネルを供給することを目的とする。
【課題を解決するための手段】
【０００８】
上記目的を達成するために本発明は、走査バス電極を有する走査電極と維持バス電極を有する維持電極とブラックストライプとを備えた前面基板と、データ電極と蛍光体層とを備えた背面基板とを対向配置して構成したパネルであって、走査バス電極の幅、維持バス電極の幅、およびブラックストライプの幅の最大値をＢｍａｘとし、走査バス電極と維持バス電極との隙間の間隔、維持バス電極とブラックストライプとの隙間の間隔、およびブラックストライプと走査バス電極との隙間の間隔の最小値をＷｍｉｎとし、走査バス電極および維持バス電極と蛍光体層との光学的距離をＨとするとき、Ｂｍａｘ≦Ｈ≦Ｗｍｉｎを満たすことを特徴とする。この構成により、新たな工程を追加することなく、また視野角依存性等の新たな課題を生じることなく外光反射を低減しコントラストを高めたパネルを供給することができる。
【０００９】
また本発明のパネルは、走査バス電極の幅と維持バス電極の幅とブラックストライプの幅とが互いに等しい構成であってもよい。この構成によりさまざまな角度の外光に対する外光反射を抑制することができる。
【００１０】
また本発明のパネルは、走査バス電極と維持バス電極との隙間の間隔と、維持バス電極とブラックストライプとの隙間の間隔と、ブラックストライプと走査バス電極との隙間の間隔とが互いに等しい構成であってもよい。この構成によりさまざまな角度の外光に対する外光反射を抑制することができる。
【発明の効果】
【００１１】
本発明によれば、新たな工程を追加することなく、また視野角依存性等の新たな課題を生じることなく外光反射を低減しコントラストを高めたパネルを供給することが可能となる。
【発明を実施するための最良の形態】
【００１２】
以下、本発明の実施の形態におけるパネルの駆動方法について、図面を用いて説明する。
【００１３】
（実施の形態）
図１は、本発明の実施の形態におけるパネル１０の分解斜視図である。パネル１０は、前面基板２１と背面基板３１とを対向配置し、周辺部を低融点ガラス（図示せず）を用いて封着することにより構成されており、内部に多数の放電セルが形成されている。
【００１４】
ガラス製の前面基板２１上には、１対の走査電極２２と維持電極２３とからなる表示電極対２４が互いに平行に複数対形成されている。そして隣り合う表示電極対２４の間にはブラックストライプ２５が形成されている。
【００１５】
走査電極２２は、走査透明電極２２ａと不透明である走査バス電極２２ｂとを有する。維持電極２３も同様に、維持透明電極２３ａと維持バス電極２３ｂとを有する。以下、走査透明電極および維持透明電極を単に「透明電極」、走査バス電極および維持バス電極を単に「バス電極」とも称する。
【００１６】
透明電極２２ａ、２３ａは、前面基板２１上にＩＴＯ、ＳｎＯ２、ＺｎＯ等の導電性金属酸化物を帯状に製膜して形成され、バス電極２２ｂ、２３ｂは黒色層と白色層とを積層して形成されている。黒色層は、パネル１０を表示面側から見たときに表示電極対２４を黒く見せるために設けられており、黒色の材料を上述の透明電極２２ａ、２３ａのそれぞれの上にその透明電極２２ａ、２３ａよりも幅を狭く積層して形成したものである。そして導電性を高めるために、Ａｇを含む導電性の材料を用いた白色層が黒色層の上に積層されている。
【００１７】
ブラックストライプ２５は、黒色層を用いて形成されている。黒色層は、パネル１０を表示面側から見たときに表示電極対２４を黒く見せるために設けられており、黒色の材料を前面基板２１上に形成したものである。
【００１８】
そしてそれら表示電極対２４およびブラックストライプ２５を覆うように誘電体層２７が形成され、誘電体層２７上に保護層２８が形成されている。
【００１９】
ガラス製の背面基板３１上には、複数のデータ電極３２が互いに平行に形成されている。このデータ電極３２は、Ａｇを主成分とする導電性材料で形成されている。そして、データ電極３２を覆うように誘電体層３３が形成され、誘電体層３３の上には、データ電極３２に平行に隔壁３４が形成されている。そして誘電体層３３の表面と隔壁３４の側面とに赤、緑、青各色に発光する蛍光体層３５が形成されている。
【００２０】
前面基板２１と背面基板３１とは、表示電極対２４とデータ電極３２とが立体交差するように対向配置され、表示電極対２４とデータ電極３２とが対向する部分に放電セルが形成される。放電セルが形成された画像表示領域の外側の位置で、前面基板２１と背面基板３１とは低融点ガラスを用いて封着され、内部の放電空間には放電ガスが封入されている。
【００２１】
なお、このように構成されたパネル１０において、バス電極２２ｂ、２３ｂおよびブラックストライプ２５から誘電体層３３の表面に形成された蛍光体層３５の表面までの光学的距離（幾何学的な距離と屈折率との積分値）を、バス電極２２ｂ、２３ｂと蛍光体層３５との光学的距離Ｈとして以下に引用する。
【００２２】
図２は、本発明の実施の形態におけるパネル１０を前面基板２１側から見た図である。本実施の形態においては、走査バス電極２２ｂの幅Ｂ２と維持バス電極２３ｂの幅Ｂ３とを等しく、またブラックストライプ２５の幅Ｂ５もこれらバス電極２２ｂ、２３ｂの幅Ｂ２、Ｂ３と等しく設計している。すなわち、
Ｂ２＝Ｂ３＝Ｂ５
である。
【００２３】
また、ブラックストライプ２５と走査バス電極２２ｂとの隙間の間隔Ｗ５２と、維持バス電極２３ｂとブラックストライプ２５との隙間の間隔Ｗ３５とを等しく、また走査バス電極２２ｂと維持バス電極２３ｂとの隙間の間隔Ｗ２３も、これらの隙間の間隔Ｗ５２、Ｗ３５と等しく設計している。すなわち、
Ｗ５２＝Ｗ２３＝Ｗ３５
である。
【００２４】
さらに、バス電極２２ｂ、２３ｂの幅Ｂ２、Ｂ３およびブラックストライプ２５の幅Ｂ５はバス電極２２ｂ、２３ｂと蛍光体層３５との光学的距離Ｈ以下に、隙間の間隔Ｗ５２、Ｗ２３、Ｗ３５はバス電極２２ｂ、２３ｂと蛍光体層３５との光学的距離Ｈ以上に設定されている。すなわち、
Ｂ２＝Ｂ３＝Ｂ５≦Ｈ≦Ｗ５２＝Ｗ２３＝Ｗ３５
である。そしてこのように、バス電極２２ｂ、２３ｂおよびブラックストライプ２５を設定することにより、外光反射を低減し、コントラストを高めることができる。以下にその理由について説明する。
【００２５】
図３は、本発明の実施の形態におけるパネル１０の外光反射が低減する理由を説明する図であり、図３（ａ）はパネル１０の断面図、図３（ｂ）はパネル１０の正面図である。なお図３（ａ）には前面基板２１と、バス電極２２ｂ、２３ｂおよびブラックストライプ２５と、蛍光体層３５と、背面基板３１とを示し、それ以外は省略している。
【００２６】
パネル１０の画像表示面にはいろいろな角度の外光が入射するが、プラズマディスプレイ装置の通常の設置条件の下では斜め上方から入射する外光が支配的である。図３（ａ）は、最も支配的な斜め４５°の角度の外光４１がパネル１０に入射した場合の、バス電極２２ｂ、２３ｂおよびブラックストライプ２５の影のでき方を示している。なお、説明を簡単にするために、パネル１０を構成する各要素の光の屈折率を「１」と仮定した。
【００２７】
斜め４５°の角度の外光４１によるバス電極２２ｂの影４２は、図３（ｂ）に示したように、走査バス電極２２ｂと維持バス電極２３ｂとの隙間に投影される。またバス電極２３ｂの影４３は、維持バス電極２３ｂとブラックストライプ２５との隙間に投影され、ブラックストライプ２５の影４５は、ブラックストライプ２５と走査バス電極２２ｂとの隙間に投影される。このように本実施の形態においては、パネル１０を正面から見た場合、斜め４５°の角度の外光４１が蛍光体層３５上に投影する影４２、４３、４５のそれぞれは、バス電極２２ｂ、２３ｂおよびブラックストライプ２５と重なることなく、かつバス電極２２ｂ、２３ｂおよびブラックストライプ２５の隙間に投影されるため、効果的に外光４１の反射輝度を低下させることができる。
【００２８】
図４は、本発明の実施の形態におけるパネル１０の外光４１の反射輝度を低下させる条件を求めるための図である。図４にはバス電極２２ｂとその影４２およびバス電極２２ｂとバス電極２３ｂとの隙間の詳細を示している。入射角θ（ただし、θ＝４５°）の外光４１によるバス電極２２ｂのｘ点およびｙ点の影の投影点をｘ’点およびｙ’点とし、入射角０°の外光によるバス電極２２ｂのｘ点およびｙ点の影の投影点をｘ”点およびｙ”点とする。パネル１０を正面から見た場合、バス電極２２ｂの影４２がバス電極２２ｂ、２３ｂと重なることなく、かつバス電極２２ｂ、２３ｂの隙間に投影されるための第１の条件は、ｘ”−ｘ’の長さ、すなわちＨｔａｎθがバス電極２２ｂの幅Ｂ２以上でなければならない。また第２の条件は、ｙ”−ｙ’の長さ、すなわちＨｔａｎθがバス電極２２ｂ、２３ｂの隙間の間隔Ｗ２３以下でなければならない。
【００２９】
これらの条件が、維持バス電極２３ｂ、ブラックストライプ２５についても成り立つためには、走査バス電極２２ｂの幅Ｂ２、維持バス電極２３ｂの幅Ｂ３、およびブラックストライプ２５の幅Ｂ５の最大値をＢｍａｘとし、走査バス電極２２ｂと維持バス電極２３ｂとの隙間の間隔Ｗ２３、維持バス電極２３ｂとブラックストライプ２５との隙間の間隔Ｗ３５、およびブラックストライプ２５と走査バス電極２２ｂとの隙間の間隔Ｗ５２の最小値をＷｍｉｎとし、バス電極２２ｂ、２３ｂと蛍光体層３５との光学的距離をＨとするとき、
Ｂｍａｘ≦Ｈｔａｎθ≦Ｗｍｉｎ（ただし、θ＝４５°）
を満たすことが条件である。
【００３０】
なお、実際にはさまざまな角度の外光がパネル１０に入射するが、実用的には上述したように斜め４５°の角度の外光４１に注目してバス電極２２ｂ、２３ｂおよびブラックストライプ２５を設計すればよい。
【００３１】
また、パネル１０の構造は上述したものに限られるわけではない。図５は、本発明の実施の形態における他のパネル５０の分解斜視図である。前面基板２１はパネル１０の前面基板２１と同じである。背面基板３１上には、パネル１０と同様に、複数のデータ電極３２が互いに平行に形成され、データ電極３２を覆うように誘電体層３３が形成されている。
【００３２】
パネル５０の誘電体層３３の上には、データ電極３２に平行な縦隔壁６４ａと、縦隔壁６４ａと交差する横隔壁６４ｂとを有する井桁状の隔壁６４が形成されている。本実施の形態においては、隣接するデータ電極３２のそれぞれに対応する放電セルの相互干渉を防ぎつつパネル５０製造時の排気コンダクタンスを確保するために、縦隔壁６４ａの高さは横隔壁６４ｂの高さよりわずかに高く形成されている。このような構成のパネル５０では、斜め４５°の角度の外光４１によるブラックストライプ２５の影の一部は横隔壁６４ｂにより遮られるが、代りに横隔壁６４ｂの影が投影されるため、上述した条件、
Ｂｍａｘ≦Ｈｔａｎθ≦Ｗｍｉｎ
を用いてバス電極２２ｂ、２３ｂおよびブラックストライプ２５を設計すればよい。
【００３３】
このように、最も支配的な斜め４５°の角度の外光４１に注目して外光反射を抑えるためには、バス電極２２ｂ、２３ｂの幅Ｂ２、Ｂ３、ブラックストライプ２５の幅Ｂ５、およびそれらの隙間の間隔Ｗ５２、Ｗ２３、Ｗ３５を、上式を満たす範囲で設計すればよい。そしてこのとき、バス電極２２ｂ、２３ｂの幅Ｂ２、Ｂ３、ブラックストライプ２５の幅Ｂ５を互いに等しく設計する必要はなく、また間隔Ｗ５２、Ｗ２３、Ｗ３５を互いに等しく設計する必要はない。
【００３４】
しかしながら、パネルの使用環境においては斜め４５°以外の角度の外光も考慮しなければならない場合がある。この場合、外光反射の強さはさまざまな角度の外光に対する外光反射の総和となる。そしてさまざまな角度の外光に対する外光反射を抑制するためには、θ＝４５°だけでなく４５°以外の広い範囲の入射角θの外光についても上述の条件を成立させることが望ましい。そして広い範囲の角度で上述の条件を満たすには、バス電極２２ｂ、２３ｂの幅Ｂ２、Ｂ３およびブラックストライプ２５の幅Ｂ５を互いに等しく設計し、ブラックストライプ２５とバス電極２２ｂ、２３ｂとの隙間の間隔Ｗ５２、Ｗ３５、およびバス電極２２ｂ、２３ｂ間の隙間の間隔Ｗ２３を互いに等しく設計するとよい。すなわち、
Ｂ２＝Ｂ３＝Ｂ５≦Ｈ≦Ｗ５２＝Ｗ２３＝Ｗ３５
である。
【００３５】
具体的な設計例として、表示画面の大きさが５０吋の高精細度パネルでは、例えば、画素ピッチが８１０μｍであり、Ｈ＝１４５μｍであるので、Ｂ２＝Ｂ３＝Ｂ５＝８０μｍ、Ｗ５２＝Ｗ２３＝Ｗ３５＝１９０μｍとすることで上式を満たすことができる。また、表示画面の大きさが４０吋の高精細度パネルでは、例えば、画素ピッチが６７５μｍであり、Ｈ＝１４５μｍであるので、Ｂ２＝Ｂ３＝Ｂ５＝８０μｍ、Ｗ５２＝Ｗ２３＝Ｗ３５＝１４５μｍとすることで上式を満たすことができる。
【００３６】
なお、本実施の形態において用いた具体的な各数値は、単に一例を挙げたに過ぎず、パネルの特性やプラズマディスプレイ装置の仕様等にあわせて、適宜最適な値に設定することが望ましい。
【産業上の利用可能性】
【００３７】
本発明のパネルは、新たな工程を追加することなく、また視野角依存性等の新たな課題を生じることなく外光反射を低減しコントラストを高めることができ、プラズマディスプレイ装置のパネルとして有用である。
【図面の簡単な説明】
【００３８】
【図１】本発明の実施の形態におけるパネルの分解斜視図
【図２】同パネルを前面基板側から見た図
【図３】同パネルの外光反射が低減する理由を説明する図
【図４】同パネルの外光の反射輝度を低下させる条件を求めるための図
【図５】本発明の実施の形態における他のパネルの分解斜視図
【符号の説明】
【００３９】
１０，５０    パネル
２１    前面基板
２２    走査電極
２２ａ    （走査）透明電極
２２ｂ    （走査）バス電極
２３    維持電極
２３ａ    （維持）透明電極
２３ｂ    （維持）バス電極
２４    表示電極対
２５    ブラックストライプ
２７    誘電体層
２８    保護層
３１    背面基板
３２    データ電極
３３    誘電体層
３４，６４    隔壁
３５    蛍光体層
４１    外光
４２，４３，４５    影
６４ａ    縦隔壁
６４ｂ    横隔壁
【図１】
2010040411.tif 000003
【図２】
2010040411.tif 000004
【図３】
2010040411.tif 000005
【図４】
2010040411.tif 000006
【図５】
2010040411.tif 000007